(57)【要約】【課題】精度の良いプリチャージを行なうことができる、表示装置の駆動回路を提供する。【解決手段】本発明の表示装置の駆動回路は、本充電前に容量負荷へ電荷を印加して上記容量負荷をプリチャージするプリチャージ回路７を有する表示装置の駆動回路において、外部から繰り返し入力されるデータのうち、今回のデータよりも１ライン前の前回のデータを記憶しておく記憶部１１と、上記前回のデータおよび上記今回のデータからプリチャージ時間を決定するクロック数決定部１０とを有する【選択図】図１
2007093996.tif 000002
【特許請求の範囲】
【請求項１】
本充電前に容量負荷へ電荷を印加して上記容量負荷をプリチャージするプリチャージ回路を有する表示装置の駆動回路において、
外部から繰り返し入力されるデータのうち、今回のデータよりも１ライン前の前回のデータを記憶しておく記憶手段と、
上記前回のデータおよび上記今回のデータからプリチャージ時間を決定する決定手段とを有することを特徴とする表示装置の駆動回路。
【請求項２】
上記決定手段は、上記前回のデータと上記今回のデータとを比較する比較手段を備えており、該比較手段による比較結果に基づいて上記プリチャージ時間を決定することを特徴とする請求項１に記載の表示装置の駆動回路。
【請求項３】
任意の前後２ラインのデータと、これらのデータに対する所望のプリチャージ時間と、が互いに対応付けられたルックアップテーブルをさらに有しており、
上記決定手段は、該ルックアップテーブルを参照することを特徴とする請求項１に記載の表示装置の駆動回路。
【請求項４】
上記プリチャージ回路は、前段にＤ／Ａコンバータを有しており、
該Ｄ／Ａコンバータは、オペアンプと、該オペアンプの出力側に設けられた第１スイッチとを備えていることを特徴とする請求項１ないし３のいずれか１項に記載の表示装置の駆動回路。
【請求項５】
上記請求項１ないし４のいずれか１項に記載の駆動回路を備えていることを特徴とする表示装置。
【請求項６】
プリチャージ回路を用いて、本充電前に容量負荷へ電荷を印加して上記容量負荷をプリチャージする表示装置の駆動方法において、
外部から繰り返し入力されるデータのうち、今回のデータよりも１ライン前の前回のデータを記憶しておき、
上記前回のデータおよび上記今回のデータからプリチャージ時間を決定することを特徴とする表示装置の駆動方法。
【請求項７】
上記前回のデータと上記今回のデータとを比較して、この比較結果に基づいて上記プリチャージ時間を決定することを特徴とする請求項６に記載の表示装置の駆動方法。
【請求項８】
任意の前後２ラインのデータと、これらのデータに対する所望のプリチャージ時間と、が予め対応付けられたルックアップテーブルを参照することを特徴とする請求項６に記載の表示装置の駆動方法。
【請求項９】
上記プリチャージ回路は、前段にＤ／Ａコンバータを有しており、
該Ｄ／Ａコンバータは、オペアンプと、このオペアンプの出力側に設けられた第１スイッチとを備えていることを特徴とする請求項６ないし８のいずれか１項に記載の表示装置の駆動方法。
【請求項１０】
決定された上記プリチャージ時間、および、上記前回のデータと上記今回のデータとの電位の大小関係に基づいて、プリチャージ回路を制御してプリチャージを行なうことを特徴とする請求項６ないし９のいずれか１項に記載の表示装置の駆動方法。
【請求項１１】
プリチャージ回路は、第１電位に接続された第２スイッチと、該第２スイッチに直列接続され、上記第１電位よりも低い第２電位に接続された第３スイッチとから成ることを特徴とする請求項１ないし３のいずれか１項に記載の表示装置の駆動方法。
【請求項１２】
上記容量負荷としてサンプルホールド回路が用いられており、
該サンプルホールド回路におけるホールディング時よりも、最大プリチャージ時間および最大本充電時間の合計の時間前に、上記第１スイッチまたは第２スイッチのいずれかのスイッチを導通させ、上記プリチャージ時間が経過した後に上記導通させたいずれかのスイッチを遮断させることを特徴とする請求項１１に記載の表示装置の駆動方法。
【請求項１３】
上記プリチャージ時間が経過したかどうかは、上記プリチャージ回路の内部クロックを計測することにより検知することを特徴とする請求項１２に記載の表示装置の駆動方法。
【請求項１４】
上記前回のデータの方が上記今回のデータよりも電位が大きいときは、上記第３スイッチを導通させる一方、
上記今回のデータの方が上記前回のデータよりも電位が大きいときは、上記第２スイッチを導通させることを特徴とする請求項１２または１３に記載の表示装置の駆動方法。
【発明の詳細な説明】
【技術分野】
【０００１】
本発明は、本充電前に容量負荷へプリチャージを行なうことができる、表示装置の駆動回路、表示装置および表示装置の駆動方法に関するものである。
【背景技術】
【０００２】
アクティブマトリクス型液晶表示装置では、液晶パネルの交流駆動を行なう際に、容量負荷（各画素）が安定して所望電荷量だけ充電されるように、データ信号線を介して画素にビデオ信号を供給する（本充電する）前に、各データ信号線を予備充電（プリチャージ）することが行なわれている。この場合、単純に正極性側と負極性側の２種類（例えば５ＶとＧＮＤ）を用意して、一定時間プリチャージを行なう、という技術が知られている。
【０００３】
しかしながら、この技術では、全データ信号線に一度に一定時間予備充電が行われる。そのため、プリチャージの効果のあるデータ信号線とプリチャージの効果のないデータ信号線とが存在してしまう。この問題を解決することができる技術として、出力したいビデオ（アナログ）信号レベルに応じて、プリチャージ信号レベルを変化させる技術が知られている。
【０００４】
例えば、特許文献１には、図８に示すような液晶プロジェクタが開示されている。この液晶プロジェクタは、同図に示すように、Ａ／Ｄコンバータ５０、デジタル信号処理回路５１、サンプル＆ホールド回路５２、Ｄ／Ａコンバータ５３、液晶パネル５４、タイミングジェネレータ５５、ビデオ信号レベル検出回路５６、およびプリチャージ信号生成回路５７を備えている。
【０００５】
液晶プロジェクタに入力されたＲ、Ｇ、Ｂ信号は、Ａ／Ｄコンバータ５０によってデジタル信号に変換された後、デジタル信号処理回路５１に送られて、ブライト調整、コントラスト調整、ガンマ補正などの処理が行なわれる。デジタル信号処理回路５１から出力されたＲ、Ｇ、Ｂ信号は、サンプル＆ホールド回路５２にて時分割された後、Ｄ／Ａコンバータ５３によってアナログ信号に変換されて、液晶パネル５４に書き込まれる。液晶パネル５４に書き込まれた信号は、スクリーンに投影される。
【０００６】
タイミングジェネレータ５５は、Ａ／Ｄコンバータ５０、デジタル信号処理回路５１、
サンプル＆ホールド回路５２、およびＤ／Ａコンバータ５３にクロックを供給すると共に、液晶パネル５４にパネル駆動パルスを供給する。液晶パネル５４としては、多結晶シリコントランジスタを用いたドライバが内蔵されたアクティブマトリクス型液晶パネルが用いられている。
【０００７】
ビデオ信号レベル検出回路５６は、デジタル信号処理回路５１によって得られるデジタル信号の信号レベルを検出する回路であり、検出された信号レベルはプリチャージ信号生成回路５７に送られる。プリチャージ信号生成回路５７は、ビデオ信号レベル検出回路５６によって検出された信号レベルに基づいて、最適なレベルのプリチャージ信号を生成する。プリチャージ信号生成回路５７によって生成されたプリチャージ信号は、液晶パネル５４に送られる。
【０００８】
上記構成によれば、入力ビデオ信号の入力レベルに応じた最適なプリチャージ信号が生成されるので、入力ビデオ信号の全階調にわたって縦筋などの不具合を解消することができる。
【特許文献１】特開２００３−２１６１１９号公報（平成１５年７月３０日  公開）
【発明の開示】
【発明が解決しようとする課題】
【０００９】
しかしながら、上記特許文献１の構成では、ビデオ信号レベル検出回路５６およびプリチャージ信号生成回路５７を設け、これらの回路を用いて、出力したいビデオ信号に応じてプリチャージ信号のレベルを変化させており、プリチャージの精度が低い、という問題があった。
【００１０】
本発明は、上記の問題点に鑑みてなされたものであり、その目的は、精度の高いプリチャージを実現することができる、表示装置の駆動回路、表示装置および表示装置の駆動方法を提供することにある。
【課題を解決するための手段】
【００１１】
本発明の表示装置の駆動回路は、上記課題を解決するために、本充電前に容量負荷へ電荷を印加して上記容量負荷をプリチャージするプリチャージ回路を有する表示装置の駆動回路において、外部から繰り返し入力されるデータのうち、今回のデータよりも１ライン前の前回のデータを記憶しておく記憶手段と、上記前回のデータおよび上記今回のデータからプリチャージ時間を決定する決定手段とを有することを特徴としている。
【００１２】
また、本発明の表示装置の駆動方法は、上記課題を解決するために、プリチャージ回路を用いて、本充電前に容量負荷へ電荷を印加して容量負荷をプリチャージする表示装置の駆動方法において、外部から繰り返し入力されるデータのうち、今回のデータよりも１ライン前の前回のデータを記憶しておき、上記前回のデータおよび上記今回のデータからプリチャージ時間を決定することを特徴としている。
【００１３】
ここで、「プリチャージ（予備充電）」とは、表示装置が交流駆動する際に、容量負荷が所望電荷量充電されるように、本充電前に行なう充電のことをいい、このプリチャージにかかる時間をプリチャージ時間という。
【００１４】
上記構成によれば、外部から繰り返し入力されるデータのうち、今回のデータよりも１ライン前の前回のデータを記憶しておき、上記前回のデータおよび上記今回のデータからプリチャージ時間を決定している。
【００１５】
つまり、プリチャージ時間を決定する際に、今回のデータだけでなく、１ライン前の前回のデータも考慮に入れている。そのため、プリチャージ時間を正確に決定することができる。プリチャージ時間を正確に決めることができれば、プリチャージ前の電位とプリチャージ時間とからプリチャージ後の電位が決まるので、所望のプリチャージ後の電位を得ることができる、つまり、精度のよいプリチャージを行なうことができる。
【００１６】
また、本発明の表示装置の駆動方法では、上記決定手段は、上記前回のデータと上記今回のデータとを比較する比較手段を備えており、該比較手段による比較結果に基づいて上記プリチャージ時間を決定してもよい。
【００１７】
また、本発明の表示装置の駆動方法では、上記前回のデータと上記今回のデータとを比較して、この比較結果に基づいて上記プリチャージ時間を決定してもよい。
【００１８】
上記構成によれば、前回のデータと今回のデータとを比較してこの比較結果に基づいてプリチャージ時間を決定するようになっている。そのため、両データの関係に基づいてプリチャージ時間を決定することができるため、より正確にプリチャージ時間を決定することができる。
【００１９】
また、本発明の表示装置の駆動方法では、任意の前後２ラインのデータと、これらのデータに対する所望のプリチャージ時間と、が互いに対応付けられたルックアップテーブルをさらに有しており、上記決定手段は、該ルックアップテーブルを参照してもよい。
【００２０】
また、本発明の表示装置の駆動方法では、任意の前後２ラインのデータと、これらのデータに対する所望のプリチャージ時間と、が予め対応付けられたルックアップテーブルを参照してもよい。
【００２１】
上記構成によれば、任意の前後２ラインのデータと、これらのデータに対する所望のプリチャージ時間と、が互いに対応付けられたルックアップテーブルを有しており、決定手段がこのルックアップテーブルを参照するようになっている。これにより、今回のデータと前回のデータとを得て、これらのデータを基にルックアップテーブルを参照することにより、容易にプリチャージ時間を得ることができる。さらに、単にルックアップテーブルを設けてこれを参照するだけでよい（つまり、ルックアップテーブルのデータを取り出すだけでよい）ので、プリチャージ時間を得るための構成を簡単にすることができる。
【００２２】
また、本発明の表示装置の駆動回路では、上記プリチャージ回路は、前段にＤ／Ａコンバータを有しており、該Ｄ／Ａコンバータは、オペアンプと、該オペアンプの出力側に設けられた第１スイッチとを備えていてもよい。
【００２３】
また、本発明の表示装置の駆動方法では、上記プリチャージ回路は、前段にＤ／Ａコンバータを有しており、該Ｄ／Ａコンバータは、オペアンプと、このオペアンプの出力側に設けられた第１スイッチとを備えていてもよい。
【００２４】
上記構成によれば、プリチャージ回路の前段に設けられたＤ／Ａコンバータは、オペアンプと、該オペアンプの出力側に設けられた第１スイッチとを備えている。そのため、この第１スイッチをＯＦＦにすることにより、プリチャージ前に、Ｄ／Ａコンバータの出力をハイインピーダンス状態にすることができる。さらに、プリチャージ中、オペアンプの電源を切って、バイアス電流をカットすることにより、駆動回路の低消費電力化を図ることができる。
【００２５】
また、本発明の表示装置の駆動方法では、決定された上記プリチャージ時間、および、上記前回のデータと上記今回のデータとの電位の大小関係に基づいて、プリチャージ回路を制御してプリチャージを行なってもよい。
【００２６】
ここで、前回のデータと今回のデータとの電位の大小関係に基づく必要があるのは、前回のデータと今回のデータとの大小関係によって、プリチャージすべき電荷の極性が異なるためである。上記構成によれば、決定されたプリチャージ時間を用いてプリチャージ回路を制御することによりプリチャージを行なっている。そのため、適切な電荷量を容量負荷に対してプリチャージすることができる。つまり、プリチャージ前の電位とプリチャージ時間が決まれば、プリチャージ後に到達する電位が決まるので、プリチャージ時間を前回のデータと今回のデータから決定されたものにすることにより、適切な電荷量を容量負荷に対してプリチャージすることができる。
【００２７】
また、本発明の表示装置の駆動方法では、プリチャージ回路は、第１電位に接続された第２スイッチと、該第２スイッチに直列接続され、上記第１電位よりも低い第２電位に接続された第３スイッチとから成っていてもよい。上記構成によれば、プリチャージ回路は、第１電位に接続された第２スイッチと、該第２スイッチに直列接続され、上記第１電位よりも低い第２電位に接続された第３スイッチとから成っている。従って、簡単な回路構成により、いずれの極性のプリチャージも行なうことができる。
【００２８】
また、本発明の表示装置の駆動方法では、上記容量負荷としてサンプルホールド回路が用いられており、該サンプルホールド回路におけるホールディング時よりも、最大プリチャージ時間および最大本充電時間の合計の時間前に、上記第１スイッチまたは第２スイッチのいずれかのスイッチを導通させ、上記プリチャージ時間が経過した後に上記導通させたいずれかのスイッチを遮断させてもよい。
【００２９】
サンプルホールド回路におけるホールディング時よりも、最大プリチャージ時間および最大本充電時間の合計の時間前にプリチャージを開始している。このようなタイミングにてプリチャージを開始する理由は、少なくともサンプルホールド回路にてホールディングする時に、プリチャージおよび本充電が完了していなければならないからである。上記構成によれば、プリチャージの開始時点を最大プリチャージ時間と最大本充電時間との合計時間を見越して設定されているので、ホールディング時においてプリチャージおよび本充電が完了していないという不具合を防止することができる。
【００３０】
また、本発明の表示装置の駆動方法では、上記プリチャージ時間が経過したかどうかは、上記プリチャージ回路の内部クロックを計測することにより検知してもよい。上記構成によれば、プリチャージ時間を内部クロックにより検知している。そのため、容易にプリチャージを検知することができる。
【００３１】
また、本発明の表示装置の駆動方法では、上記前回のデータの方が上記今回のデータよりも電位が大きいときは、上記第３スイッチを導通させる一方、上記今回のデータの方が上記前回のデータよりも電位が大きいときは、上記第２スイッチを導通させてもよい。
【００３２】
また、本発明の表示装置では、上記いずれかに記載の駆動回路を備えた表示装置であることが好ましい。
【発明の効果】
【００３３】
本発明の表示装置の駆動回路は、以上のように、本充電前に容量負荷へ電荷を印加して上記容量負荷をプリチャージするプリチャージ回路を有する表示装置の駆動回路において、外部から繰り返し入力されるデータのうち、今回のデータよりも１ライン前の前回のデータを記憶しておく記憶手段と、上記前回のデータおよび上記今回のデータからプリチャージ時間を決定する決定手段とを有している。
【００３４】
本発明の表示装置の駆動方法は、以上のように、プリチャージ回路を用いて、本充電前に容量負荷へ電荷を印加して容量負荷をプリチャージする表示装置の駆動方法において、
外部から繰り返し入力されるデータのうち、今回のデータよりも１ライン前の前回のデータを記憶しておき、上記前回のデータおよび上記今回のデータからプリチャージ時間を決定している。
【００３５】
従って、プリチャージ時間を正確に決めることができ、精度良くプリチャージすることができる表示装置の駆動回路および表示装置の駆動方法を提供することができる。
【発明を実施するための最良の形態】
【００３６】
本発明の一実施の形態について図面を用いて説明する。
【００３７】
（液晶表示装置の構成）
図２は、本発明の一実施の形態における液晶表示装置（表示装置）を示す概略構成図である。
【００３８】
この液晶表示装置は、アクティブマトリクス型の液晶表示装置であり、マトリクス状に配された画素ＰＩＸを有する表示部１と、各画素ＰＩＸを駆動するソースドライバ（走査信号線ドライバ）２およびゲートドライバ（走査信号線ドライバ）３と、制御回路４と、電源回路５と、互いに直交した複数のデータ信号線ＳＬ…（ＳＬ１〜ＳＬｎ）および走査信号線ＧＬ…（ＧＬ１〜ＧＬｍ）とを備えている。制御回路４が各画素ＰＩＸの表示状態を示すビデオ信号ＶＩＤＥＯを生成すると、このビデオ信号ＶＩＤＥＯに基づいて、表示部１に画像を表示することができるようになっている。
【００３９】
表示部１は、液晶パネルから成っており、複数のデータ信号線ＳＬ…と走査信号線ＧＬ…とが互いに交差して配設されているとともに、各データ信号線ＳＬ…と各走査信号線ＧＬ…との交点にＴＦＴ（Thin film transistor；不図示）を介して画素ＰＩＸが接続された、通常のＴＦＴ液晶パネルである。
【００４０】
ソースドライバ２は、データ信号線ＳＬ…およびＴＦＴを介して画素ＰＩＸにビデオ信号（データ信号）ＶＩＤＥＯを供給する。また、ゲートドライバ３は、走査信号線ＧＬ…を介してＴＦＴのゲートに走査信号を供給する。なお、ソースドライバ２およびゲートドライバ３は、より多くのデータ信号線ＳＬ…または走査信号線ＧＬ…の駆動を行なう場合には、複数のドライバをカスケード接続して使用することが可能である。
【００４１】
制御回路４は、ＧＳＰ（ゲートスタートパルス信号）およびＧＣＫ（ゲートクロック信号）をゲートドライバ３に出力し、ＳＳＰ（ソーススタートパルス信号）、ＳＣＫ（ソースクロック信号）、およびビデオ信号ＶＩＤＥＯをソースドライバ２に出力する。電源回路５は、ソースドライバ２およびゲートドライバ３にソースドライバ用電源およびゲートドライバ用電源をそれぞれ入力すると共に、制御回路４に制御回路用電源を入力する。
【００４２】
（液晶表示装置の駆動回路の構成）
図１は、上記液晶表示装置の駆動回路としてのソースドライバ２および制御回路４の内部構成を示すブロック図である。なお、説明の便宜上、電源回路５についても図示している。
【００４３】
（ソースドライバの構成）
ソースドライバ２は、Ｄ／Ａコンバータ（ＤＡＣ）６、プリチャージ回路７、およびサンプルホールド回路８を備えている。
【００４４】
Ｄ／Ａコンバータ６は、外部（制御回路４）から入力されたデジタル信号のビデオ信号ＶＩＤＥＯをアナログ信号のビデオ信号ＶＩＤＥＯに変換する。プリチャージ回路７は、容量負荷（サンプルホールド回路８）が安定して所望の電荷量だけ充電されるように、サンプルホールド回路８にビデオ信号ＶＩＤＥＯを供給する前に、サンプルホールド回路８に対してプリチャージ（予備充電）する。ここで、容量負荷としてサンプルホールド回路８を挙げている。なお、実際には（より詳細には）、データ信号線（データバスライン）ＳＬ…を容量負荷としてプリチャージしている。
【００４５】
サンプルホールド回路８は、２つのスイッチ（不図示）と一方がグランドに接続されたコンデンサ（不図示）とを複数（データ信号線ＳＬ…の数）有しており、ホールド時（ホールディング時）に電荷を該コンデンサに充電し、ホールディングからサンプリングへ切り替わる時点の電位をデータ信号線ＳＬ…に対して出力する構成となっている。
【００４６】
また、ここでは、プリチャージ回路７をソースドライバ２に内蔵する構成としたが、この構成に限らず、表示部１におけるソースドライバ２が設けられている側とは反対側にプリチャージ回路を設けてもよい。つまり、プリチャージ回路７とソースドライバ２により表示部１を挟みこむ構成としてもよい。この構成により、より多くのデータ信号線ＳＬ…または走査信号線ＧＬ…の駆動を行なうことができる。つまり、データ信号線ＳＬおよび走査信号線ＧＬ…の数が増えてもプリチャージ回路７およびソースドライバ２のスペースを十分に確保することができる。
【００４７】
（制御回路の構成）
制御回路４は、入力Ｉ／Ｆ部（ＩＦ部）９、クロック数決定部（決定手段）１０、記憶部（メモリ；記憶手段）１１、ＥＥＰＲＯＭ１２、およびプリチャージ制御部１３を有している。なお、この制御回路４は、従来の制御回路と同様に、ソースドライバおよびゲートドライバの動作を制御する役割をも有している。また、プリチャージ制御部１３は、プリチャージ回路７における内部クロック（より詳細には、プリチャージ回路用クロックＣＫ２）を計測する、計測部（タイマ）１４を有している。
【００４８】
入力Ｉ／Ｆ部９は、制御回路４の前段の構成とのインターフェースとしての役割を有している。クロック数決定部１０は、プリチャージ回路７にてプリチャージ（予備充電）する時間（クロック数）Ｔｐを決定する。なお、このクロック数決定部１０における詳細な動作については後述する。
【００４９】
記憶部１１は、前回のデータ（１ライン前のデータ）Ｄ１（ビデオ信号ＶＩＤＥＯ；電位；階調）を記憶する。ＥＥＰＲＯＭ１２は、図１に示すように、ルックアップテーブル（ＬＵＴ）１５を備えたメモリである。また、プリチャージ制御部１３は、プリチャージするために、プリチャージ回路７のスイッチ（＋側プリチャージスイッチ（第２スイッチ）２２または−側プリチャージスイッチ（第３スイッチ）２３；図４参照）を導通させてプリチャージを開始させると共に、クロック数決定部１０から出力するクロック数だけ、計測部１４にて内部クロックが計測されたときに、プリチャージ回路７の導通させた方のスイッチを遮断させてプリチャージを停止させる役割を有している。
【００５０】
また、プリチャージは、プリチャージ制御部１３からプリチャージ回路７へ極性を示す信号を送る。この信号は、プリチャージ回路７の＋側プリチャージスイッチ２２または−側プリチャージスイッチ２３のいずれを導通させるかを指示する信号である。但し、いずれのスイッチも導通させない場合もある。
【００５１】
また、制御回路４は、サンプルホールド回路８へ、サンプルホールド回路用クロックＣＫ１を送ると共に、プリチャージ回路７へプリチャージ回路用クロックＣＫ２を送るようになっている。なお、図１では、制御回路４からＤ／Ａコンバータ６へ送られるビデオ信号ＶＩＤＥＯは、入力Ｉ／Ｆ部９から直接Ｄ／Ａコンバータ６へ送られる構成となっているが、この構成に限らず、プリチャージ制御部１３を介してＤ／Ａコンバータ６へ送られる構成でもよい。
【００５２】
（ルックアップテーブルの構成）
図３は、ルックアップテーブルの概略構成を示す説明図である。
【００５３】
ルックアップテーブル１５は、図３に示すように、前回のデータＤ１と、今回のデータ（ビデオ信号ＶＩＤＥＯ；電位；階調）Ｄ２と、クロック数（プリチャージ時間Ｔｐ）と、が対応付けされている。つまり、任意の前後２ラインのデータと、これらのデータに対する所望のプリチャージ時間Ｔｐとが互いに対応付けられている。
【００５４】
より詳細には、前回のデータＤ１および今回のデータＤ２が決まれば、クロック数が決まるようなテーブルとなっている。同図では、例えば、「前回のデータ；６３階調、今回のデータ；１階調」であれば、クロック数が「５クロック」となっている。なお、このルックアップテーブル１５は、６４×６４階調のテーブルとなっているが、８×８階調、３２×３２階調、１２８×１２８階調、または２５６×２５６階調のテーブルでもよい。また、図３で示すルックアップテーブル１５は、単なる一例にすぎない。
【００５５】
（回路構成）
図４は、Ｄ／Ａコンバータ６およびプリチャージ回路７の具体的な回路構成について示す概略回路図である。
【００５６】
Ｄ／Ａコンバータ６は、同図に示すように、オペアンプ（ＯｐＡｍｐ）２０およびこのオペアンプ２０の後段に配されたアナログスイッチ（第１スイッチ）２１を備えている。なお、アナログスイッチ２１に限らず、他のスイッチで代用してもよい。
【００５７】
オペアンプ２０は、プリチャージおよび本充電を行なう電圧を供給する役割を有している。アナログスイッチ２１は、該アナログスイッチ２１をＯＦＦすることにより、Ｄ／Ａコンバータ６の出力をハイインピーダンス（Ｈｉ−ｚ状態）にする機能を有している。
【００５８】
さらに、オペアンプ２０の一端は、グランドＧＮＤ（接地電位Ｖｓｓ）に接続されている一方、他端は、５Ｖの電源電位Ｖｄｄに接続されている。また、プリチャージ中にオペアンプ２０の動作を止める（オペアンプ２０の電源を切る）ことにより、バイアス電流をカットすることができる。これにより、駆動回路の消費電力を下げることができる。
【００５９】
なお、アナログスイッチ２１は、必ずしも必須の構成要素ではなく、Ｄ／Ａコンバータの出力をハイインピーダンスにする必要がないときは設けなくてもよい。
【００６０】
プリチャージ回路７は、＋側プリチャージスイッチ（アナログスイッチ）２２および−側プリチャージスイッチ（アナログスイッチ）２３を有している。＋側プリチャージスイッチ２２と−側プリチャージスイッチ２３とは、互いに上記のオペアンプ２０からの出力信号の経路上に設けられたノード２４を介して接続されている。より詳細には、＋プリチャージスイッチ２２の一端は電源電位Ｖｄｄに接続されている一方、他端はノード２４に接続されている。また、−側プリチャージスイッチ２３の一端はグランドＧＮＤに接続されている一方、他端はノード２４に接続されている。
【００６１】
プリチャージ回路７のスイッチング動作は、前回のデータの信号レベル（階調Ａ）と、今回のデータの信号レベル（階調Ｂ）との比較により、階調Ａ＜階調Ｂとなっている場合には、電源電位Ｖｄｄ側に接続された＋プリチャージスイッチ２２を一定時間（クロック数決定部１０にて決定されたプリチャージ時間Ｔｐ）導通する。一方、階調Ａ＞階調Ｂとなっている場合には、接地電位Ｖｓｓに接続された−側プリチャージスイッチ２３を一定時間（クロック数決定部１０にて決定されたプリチャージ時間Ｔｐ）導通する。なお、＋プリチャージスイッチ２２または−側プリチャージスイッチ２３のいずれのスイッチを導通させるかは、プリチャージ制御部１３から送られてきた極性を示す信号にて制御されている。
【００６２】
（駆動回路の動作）
次に、本実施の形態の駆動回路であるソースドライバ２および制御回路４の動作について、図５に示すブロック図、および図６に示すフローチャートを用いて説明する。
【００６３】
まず、プリチャージを開始する開始時点について説明する。少なくともプリチャージおよび本充電が、サンプルホールド回路８におけるホールディングの時点には完了している必要がある。
【００６４】
そのため、プリチャージの開始時点は、サンプルホールド回路８におけるホールディングの時点よりも、最大のプリチャージ時間および最大の本充電時間の合計時間分前から開始するのが好ましい。しかしながら、このプリチャージ開始のタイミングは、単なる一例にすぎず、サンプルホールド回路８によるホールディングの時点に、プリチャージおよび本充電が完了できれば、他のタイミングでもよい。
【００６５】
まず、入力Ｉ／Ｆ部９は、今回のデータＤ２をクロック数決定部１０へ入力すると共に、記憶部１１は、前回のデータＤ１をクロック数決定部１０へ入力する（Ｓ１）。
【００６６】
次に、クロック数決定部１０は、今回のデータ（信号レベル）Ｄ２および前回のデータ（信号レベル）Ｄ１を元に、予め用意されたＥＥＰＲＯＭ１２内のルックアップテーブル１５を参照する（Ｓ２）。このとき、クロック数決定部１０は、今回のデータＤ２と前回のデータＤ１とを比較し、いずれの信号レベルが高いかを検出する（極性を検出する；Ｓ２）。なお、クロック数決定部１０からプリチャージ制御部１３へ今回のデータＤ２および前回のデータＤ１の両方を送って、プリチャージ制御部１３にていずれの信号レベルが高いかを検出してもよい。
【００６７】
さらに、クロック数決定部１０は、プリチャージするプリチャージ時間（クロック数）Ｔｐおよび極性を決定する（Ｓ３）。そして、クロック数決定部１０は、このプリチャージ時間Ｔｐを示すプリチャージ時間Ｔｐを示す信号をプリチャージ制御部１３へ送る（Ｓ４）。このとき、クロック数決定部１０は、プリチャージ回路７における＋側プリチャージスイッチ２２または−側プリチャージスイッチ２３のいずれのスイッチを導通させるかを指示する極性信号もプリチャージ制御部１３へ送る（Ｓ４）。なお、より具体的には、今回のデータＤ２の方が前回のデータＤ１よりも信号レベルが高い場合には、＋側プリチャージスイッチ２２を導通させる指示をプリチャージ回路７へ送り、逆に、前回のデータＤ１の方が今回のデータＤ２よりも信号レベルが高い場合には、−側プリチャージスイッチ２３を導通させる指示をプリチャージ制御部１３へ送る。
【００６８】
プリチャージ制御部１３は、プリチャージ時間Ｔｐ、極性、および制御回路４から入力されたプリチャージ回路用クロック（ＣＫ２）を元に、プリチャージ回路７を制御する（プリチャージを開始する（Ｓ５）。具体的には、プリチャージ制御部１３は、＋側プリチャージスイッチ２２または−側プリチャージスイッチ２３のいずれかを導通させて容量負荷に対してプリチャージを行なう。
【００６９】
また、このプリチャージを開始する前に、Ｄ／Ａコンバータ６におけるアナログスイッチ２１をＯＦＦにする（遮断する）ことが好ましい。これにより、Ｄ／Ａコンバータ６の出力をハイインピーダンス状態にすることができる。
【００７０】
次に、計測部１４は、プリチャージ回路用クロックＣＫ２をカウントする（Ｓ６）。カウントした結果、プリチャージ時間Ｔｐに達した場合（Ｓ７にてＹＥＳの場合）に、プリチャージを終了させる。プリチャージ時間Ｔｐに達していない場合（Ｓ７にてＮＯの場合）には、引き続きプリチャージを行ない、プリチャージ回路用クロックＣＫ２をカウントする、つまりＳ６へ戻る。
【００７１】
Ｓ７にてＮＯの場合の動作は、具体的には、導通させていた＋側プリチャージスイッチ２２または−側プリチャージスイッチ２３を遮断する。これによりプリチャージを終了することができ、その後、サンプルホールド回路８を用いて本充電を行なう。また、プリチャージを行なっている間、オペアンプ２０の動作を止めて、オペアンプ２０のバイアス電流をカットすることが好ましい。これにより、低消費電流化を図ることができる。
【００７２】
（プリチャージの波形）
図７は、プリチャージ動作を示す波形図である。同図では、サンプルホールド回路８におけるサンプリングクロック波形（サンプリングＣＫ）、ソースドライバ２からの出力波形（ａ）（ｂ）（ｃ）（ｄ）、およびソースドライバ２の内部クロック波形を示している。なお、波形（ａ）（ｂ）（ｃ）（ｄ）における縦軸はソースドライバ２からの出力信号の電位を示している一方、横軸は時間を示している。
【００７３】
波形（ａ）は、プリチャージ時間Ｔｐが１クロックの場合を示しており、波形（ｂ）は、プリチャージ時間Ｔｐが２クロックの場合を示しており、波形（ｃ）は、プリチャージ時間Ｔｐが３クロックの場合を示しており、波形（ｄ）はプリチャージ時間Ｔｐが４クロックの場合を示している。
【００７４】
また、波形（ａ）（ｂ）（ｃ）（ｄ）において、実線はプリチャージ回路７による充電時間（つまりプリチャージ時間Ｔｐ）を示しており、破線はＤ／Ａコンバータ６およびオペアンプ２０による本充電を示しており、一点鎖線は書き込みが終了した安定状態を示している。
【００７５】
なお、図７におけるサンプリングクロック波形では、各立ち上がりエッジで順次サンプリングされるラインが選択されるようになっている。すなわち、各立ち上がりエッジから次の各立ち上がりエッジまでが１サンプリング期間となっている。
【００７６】
以上の構成および動作により、次のような効果を奏する。
【００７７】
プリチャージ時に印加する電圧が固定であり、従来の当該電圧を変更する回路よりも回路の構成が簡略化されているにも拘わらず、上記の前回のデータと今回のデータとの階調差に応じて、プリチャージ時間を変更することによって、プリチャージ終了時に到達している容量負荷の電位をより正確に所望の電位にすることができる。
【００７８】
なお、上記では、ルックアップテーブル１５を設けてプリチャージ時間Ｔｐを決定しているが、必ずしもテーブルである必要はなく、例えば、関数でもよい。つまり前回のデータＤ１と今回のデータＤ２とから予め用意された関数からプリチャージ時間Ｔｐを求めてもよい。
【００７９】
また、制御回路４に、前回のデータＤ１と今回のデータＤ２との差を求める演算部（比較手段；負図示）を設けて、この演算部による演算結果（差）に基づいてクロック数を決定する構成としてもよい。この場合、プリチャージ時間Ｔｐの決定は、ルックアップテーブルを用いてもよいし、関数を用いてもよい。これにより、ルックアップテーブルまたは関数をより簡単にすることができる。また、必ずしも演算部による演算は、前回のデータＤ１と今回のデータＤ２との差である必要はなく、他の演算であってもよい。
【００８０】
また、本発明の表示装置は、液晶表示装置に限らず、有機ＥＬ表示装置などでもよく、配線容量を充電する必要のある表示装置であればどのようなものでもよい。
【００８１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００８２】
最後に、液晶表示装置の各ブロック、特にプリチャージ制御部１３およびクロック数決定部１０は、ハードウェアロジックによって構成してもよいし、次のようにＣＰＵを用いてソフトウェアによって実現してもよい。
【００８３】
すなわち、液晶表示装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである液晶表示装置の制御プログラムのプログラムコード（実行形式プログラム、中間コードプログラム、ソースプログラム）をコンピュータで読み取り可能に記録した記録媒体を、上記液晶表示装置に供給し、そのコンピュータ（またはＣＰＵやＭＰＵ）が記録媒体に記録されているプログラムコードを読み出し実行することによっても、達成可能である。
【００８４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８５】
また、液晶表示装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８６】
画像表示装置などの表示装置におけるソースドライバなどに好適に用いることができる。
【図面の簡単な説明】
【００８７】
【図１】本発明の実施形態を示すものであり、液晶表示装置の駆動回路としてのソースドライバおよび制御回路の内部構成を示すブロック図である。
【図２】本発明の実施の形態を示すものであり、液晶表示装置（表示装置）を示す概略構成図である。
【図３】本発明の実施形態を示すものであり、ルックアップテーブルの概略構成を示す説明図である。
【図４】本発明の実施の形態を示すものであり、Ｄ／Ａコンバータおよびプリチャージ回路の具体的な回路構成について示す概略回路図である。
【図５】本発明の実施形態を示すものであり、ソースドライバおよび制御回路の動作を説明するためのブロック図である。
【図６】本発明の実施の形態を示すものであり、ソースドライバおよび制御回路の動作を示すフローチャートである。
【図７】本発明の実施形態を示すものであり、プリチャージ動作を示す波形図である。
【図８】従来技術を示すものであり、液晶プロジェクタを示すブロック図である。
【符号の説明】
【００８８】
２      ソースドライバ（表示装置の駆動回路）
４      制御回路（表示装置の駆動回路）
６      Ｄ／Ａコンバータ
７      プリチャージ回路
８      サンプルホールド回路（容量負荷）
１０    クロック数決定部（決定手段）
１１    記憶部（記憶手段）
１５    ルックアップテーブル
２０    オペアンプ
２１    アナログスイッチ（第１スイッチ）
２２    ＋側プリチャージスイッチ（第２スイッチ）
２３    −側プリチャージスイッチ（第３スイッチ）
Ｄ１    前回のデータ
Ｄ２    今回のデータ
Ｔｐ    プリチャージ時間
ＣＫ２  プリチャージ回路用クロック（プリチャージ回路の内部クロック）
Ｖｄｄ  電源電位（第１電位）
Ｖｓｓ  接地電位（第２電位）
【図１】
2007093996.tif 000003
【図２】
2007093996.tif 000004
【図３】
2007093996.tif 000005
【図４】
2007093996.tif 000006
【図５】
2007093996.tif 000007
【図６】
2007093996.tif 000008
【図７】
2007093996.tif 000009
【図８】
2007093996.tif 000010